(57)【要約】【課題】画像再生部に記録媒体を装着したまま放置してしまっても、この記録媒体が他のユーザーに取り扱われてしまうことを防止することが可能な画像表示装置、プロジェクター、及び画像表示装置の制御方法を提供する。【解決手段】ユーザー認証機能が有効の場合には、暗証番号によるユーザー認証が行われ、ユーザー認証が成立した場合に、それ以降のプロジェクター１の利用が可能となる。ただし、オン操作時にディスクスロットにＤＶＤメディアＭが挿入されている場合において、入力した暗証番号が、管理者用暗証番号、及びＤＶＤメディアＭを挿入した際の暗証番号（特定暗証番号）のいずれとも異なっている場合には、セキュリティーレベルの設定内容に応じてＤＶＤ再生部２５の動作が制限される。なお、この場合であっても、画像供給装置Ｃから画像情報入力部３１に入力される画像情報に基づく画像を投写することは可能である。【選択図】図２
2012078739.tif 000002
【特許請求の範囲】
【請求項１】
装着された記録媒体に記録されている画像情報を再生する画像再生部と、
前記画像情報に基づく画像を表示する画像表示部と、
ユーザー認証を行うための認証情報の入力を受け付ける入力部と、
前記認証情報と照合される複数の照合情報を記憶する記憶部と、
前記認証情報を前記複数の照合情報と照合し、前記認証情報がいずれかの照合情報と合致した場合に前記ユーザー認証を成立させる認証部と、
前記認証部が前記ユーザー認証を成立させた場合であっても、前記画像再生部に前記記録媒体が装着された際のユーザー認証で入力された認証情報とは異なる認証情報が入力された場合には、前記画像再生部の動作を制限する制御部と、
を備えたことを特徴とする画像表示装置。
【請求項２】
請求項１に記載の画像表示装置であって、
前記制御部は、前記画像再生部に前記記録媒体が装着された際のユーザー認証で入力された認証情報とは異なる認証情報が入力された場合には、前記画像再生部からの前記記録媒体のイジェクトを禁止することを特徴とする画像表示装置。
【請求項３】
請求項１又は２に記載の画像表示装置であって、
前記制御部は、前記画像再生部に前記記録媒体が装着された際のユーザー認証で入力された認証情報とは異なる認証情報が入力された場合には、前記画像情報の再生を禁止することを特徴とする画像表示装置。
【請求項４】
請求項１〜３のいずれか一項に記載の画像表示装置であって、
前記画像再生部の動作制限として、前記画像再生部からの前記記録媒体のイジェクトを禁止する第１のモードと、前記画像再生部からの前記記録媒体のイジェクトを禁止するとともに、前記画像情報の再生を禁止する第２のモードとが選択可能であることを特徴とする画像表示装置。
【請求項５】
請求項１〜４のいずれか一項に記載の画像表示装置であって、
前記記憶部は、管理者を識別するための管理者用照合情報を記憶し、
前記制御部は、前記画像再生部に前記記録媒体が装着された際のユーザー認証で入力された認証情報、及び前記管理者用照合情報のいずれとも異なる認証情報が入力された場合に、前記画像再生部の動作を制限することを特徴とする画像表示装置。
【請求項６】
装着された記録媒体に記録されている画像情報を再生する画像再生部と、
前記画像情報に基づく画像を投写する画像投写部と、
ユーザー認証を行うための認証情報の入力を受け付ける入力部と、
前記認証情報と照合される複数の照合情報を記憶する記憶部と、
前記認証情報を前記複数の照合情報と照合し、前記認証情報がいずれかの照合情報と合致した場合に前記ユーザー認証を成立させる認証部と、
前記認証部が前記ユーザー認証を成立させた場合であっても、前記画像再生部に前記記録媒体が装着された際のユーザー認証で入力された認証情報とは異なる認証情報が入力された場合には、前記画像再生部の動作を制限する制御部と、
を備えたことを特徴とするプロジェクター。
【請求項７】
装着された記録媒体に記録されている画像情報を再生する画像再生部を備えた画像表示装置の制御方法であって、
ユーザー認証を行うための認証情報の入力を受け付ける入力ステップと、
前記入力ステップで入力された前記認証情報を、前記画像表示装置に記憶されている複数の照合情報と照合し、前記認証情報がいずれかの照合情報と合致した場合に前記ユーザー認証を成立させる認証ステップと、
前記認証ステップで前記ユーザー認証が成立した場合であっても、前記画像再生部に前記記録媒体が装着された際のユーザー認証で入力された認証情報とは異なる認証情報が入力された場合には、前記画像再生部の動作を制限する動作制限ステップと、
を備えたことを特徴とする画像表示装置の制御方法。
【請求項８】
請求項７に記載の画像表示装置の制御方法であって、
前記動作制限ステップでは、前記画像再生部に前記記録媒体が装着された際のユーザー認証で入力された認証情報とは異なる認証情報が入力された場合には、前記画像再生部からの前記記録媒体のイジェクトを禁止することを特徴とする画像表示装置の制御方法。
【請求項９】
請求項７又は８に記載の画像表示装置の制御方法であって、
前記動作制限ステップでは、前記画像再生部に前記記録媒体が装着された際のユーザー認証で入力された認証情報とは異なる認証情報が入力された場合には、前記画像情報の再生を禁止することを特徴とする画像表示装置の制御方法。
【請求項１０】
請求項７〜９のいずれか一項に記載の画像表示装置の制御方法であって、
前記画像再生部の動作制限として、前記画像再生部からの前記記録媒体のイジェクトを禁止する第１のモードと、前記画像再生部からの前記記録媒体のイジェクトを禁止するとともに、前記画像情報の再生を禁止する第２のモードとが選択可能であることを特徴とする画像表示装置の制御方法。
【請求項１１】
請求項７〜１０のいずれか一項に記載の画像表示装置の制御方法であって、
前記画像表示装置には、管理者を識別するための管理者用照合情報が記憶されており、
前記動作制限ステップでは、前記画像再生部に前記記録媒体が装着された際のユーザー認証で入力された認証情報、及び前記管理者用照合情報のいずれとも異なる認証情報が入力された場合に、前記画像再生部の動作を制限することを特徴とする画像表示装置の制御方法。
【発明の詳細な説明】
【技術分野】
【０００１】
本発明は、記録媒体に記録されている画像情報を再生する画像再生部を備えた画像表示装置、プロジェクター、及び画像表示装置の制御方法に関する。
【背景技術】
【０００２】
画像を表示する画像表示装置において、ＤＶＤ（Digital Versatile Disc）やブルーレイディスク等の記録媒体に記録されている画像情報を再生するための画像再生手段を一体的に備えたものが知られている（例えば、特許文献１参照）。このような画像表示装置を用いれば、外部の画像再生装置を接続することなく、記録媒体に記録されている画像情報に基づく画像を容易に鑑賞することが可能となる。
【先行技術文献】
【特許文献】
【０００３】
【特許文献１】特開２００５−９９６１７号公報
【発明の概要】
【発明が解決しようとする課題】
【０００４】
しかしながら、上記のような画像表示装置は、画像の鑑賞を容易に行うことができるため、企業や学校等、不特定多数のユーザーによって利用されうる場所に設置された場合には、様々なユーザーに無断で利用されてしまう恐れがある。このため、画像再生手段に記録媒体を装着したまま放置してしまうと、他のユーザーに記録媒体を取り出されたり、機密性の高い画像情報を再生されて見られたりしてしまう恐れがある。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像表示装置は、装着された記録媒体に記録されている画像情報を再生する画像再生部と、前記画像情報に基づく画像を表示する画像表示部と、ユーザー認証を行うための認証情報の入力を受け付ける入力部と、前記認証情報と照合される複数の照合情報を記憶する記憶部と、前記認証情報を前記複数の照合情報と照合し、前記認証情報がいずれかの照合情報と合致した場合に前記ユーザー認証を成立させる認証部と、前記認証部が前記ユーザー認証を成立させた場合であっても、前記画像再生部に前記記録媒体が装着された際のユーザー認証で入力された認証情報とは異なる認証情報が入力された場合には、前記画像再生部の動作を制限する制御部と、を備えたことを特徴とする。
【０００７】
この画像表示装置によれば、画像再生部に記録媒体が装着された際のユーザー認証で入力された認証情報とは異なる認証情報が入力された場合には、認証部がユーザー認証を成立させた場合であっても画像再生部の動作が制限される。このため、画像再生部に記録媒体を装着したまま放置してしまっても、この記録媒体が他のユーザーに取り扱われてしまうことを防止することが可能となる。
【０００８】
［適用例２］上記適用例に係る画像表示装置において、前記制御部は、前記画像再生部に前記記録媒体が装着された際のユーザー認証で入力された認証情報とは異なる認証情報が入力された場合には、前記画像再生部からの前記記録媒体のイジェクトを禁止することが望ましい。
【０００９】
この画像表示装置によれば、画像再生部に記録媒体が装着された際のユーザー認証で入力された認証情報とは異なる認証情報が入力された場合に、制御部が画像再生部からの記録媒体のイジェクトを禁止するため、画像再生部に記録媒体を装着したまま放置してしまっても、他のユーザーに記録媒体を取り出されてしまうことを防止することができる。
【００１０】
［適用例３］上記適用例に係る画像表示装置において、前記制御部は、前記画像再生部に前記記録媒体が装着された際のユーザー認証で入力された認証情報とは異なる認証情報が入力された場合には、前記画像情報の再生を禁止することが望ましい。
【００１１】
この画像表示装置によれば、画像再生部に記録媒体が装着された際のユーザー認証で入力された認証情報とは異なる認証情報が入力された場合に、制御部が画像情報の再生を禁止するため、画像再生部に記録媒体を装着したまま放置してしまっても、他のユーザーに画像情報を再生されて見られてしまうことを防止することができる。
【００１２】
［適用例４］上記適用例に係る画像表示装置において、前記画像再生部の動作制限として、前記画像再生部からの前記記録媒体のイジェクトを禁止する第１のモードと、前記画像再生部からの前記記録媒体のイジェクトを禁止するとともに、前記画像情報の再生を禁止する第２のモードとが選択可能であってもよい。
【００１３】
［適用例５］上記適用例に係る画像表示装置において、前記記憶部は、管理者を識別するための管理者用照合情報を記憶し、前記制御部は、前記画像再生部に前記記録媒体が装着された際のユーザー認証で入力された認証情報、及び前記管理者用照合情報のいずれとも異なる認証情報が入力された場合に、前記画像再生部の動作を制限するようにしてもよい。
【００１４】
［適用例６］本適用例に係るプロジェクターは、装着された記録媒体に記録されている画像情報を再生する画像再生部と、前記画像情報に基づく画像を投写する画像投写部と、ユーザー認証を行うための認証情報の入力を受け付ける入力部と、前記認証情報と照合される複数の照合情報を記憶する記憶部と、前記認証情報を前記複数の照合情報と照合し、前記認証情報がいずれかの照合情報と合致した場合に前記ユーザー認証を成立させる認証部と、前記認証部が前記ユーザー認証を成立させた場合であっても、前記画像再生部に前記記録媒体が装着された際のユーザー認証で入力された認証情報とは異なる認証情報が入力された場合には、前記画像再生部の動作を制限する制御部と、を備えたことを特徴とする。
【００１５】
このプロジェクターによれば、画像再生部に記録媒体が装着された際のユーザー認証で入力された認証情報とは異なる認証情報が入力された場合には、認証部がユーザー認証を成立させた場合であっても画像再生部の動作が制限される。このため、画像再生部に記録媒体を装着したまま放置してしまっても、この記録媒体が他のユーザーに取り扱われてしまうことを防止することが可能となる。
【００１６】
［適用例７］本適用例に係る画像表示装置の制御方法は、装着された記録媒体に記録されている画像情報を再生する画像再生部を備えた画像表示装置の制御方法であって、ユーザー認証を行うための認証情報の入力を受け付ける入力ステップと、前記入力ステップで入力された前記認証情報を、前記画像表示装置に記憶されている複数の照合情報と照合し、前記認証情報がいずれかの照合情報と合致した場合に前記ユーザー認証を成立させる認証ステップと、前記認証ステップで前記ユーザー認証が成立した場合であっても、前記画像再生部に前記記録媒体が装着された際のユーザー認証で入力された認証情報とは異なる認証情報が入力された場合には、前記画像再生部の動作を制限する動作制限ステップと、を備えたことを特徴とする。
【００１７】
この画像表示装置の制御方法によれば、画像再生部に記録媒体が装着された際のユーザー認証で入力された認証情報とは異なる認証情報が入力された場合には、ユーザー認証が成立した場合であっても画像再生部の動作が制限される。このため、画像再生部に記録媒体を装着したまま放置してしまっても、この記録媒体が他のユーザーに取り扱われてしまうことを防止することが可能となる。
【００１８】
［適用例８］上記適用例に係る画像表示装置の制御方法において、前記動作制限ステップでは、前記画像再生部に前記記録媒体が装着された際のユーザー認証で入力された認証情報とは異なる認証情報が入力された場合には、前記画像再生部からの前記記録媒体のイジェクトを禁止することが望ましい。
【００１９】
この画像表示装置の制御方法によれば、画像再生部に記録媒体が装着された際のユーザー認証で入力された認証情報とは異なる認証情報が入力された場合に、画像再生部からの記録媒体のイジェクトを禁止するため、画像再生部に記録媒体を装着したまま放置してしまっても、他のユーザーに記録媒体を取り出されてしまうことを防止することができる。
【００２０】
［適用例９］上記適用例に係る画像表示装置の制御方法において、前記動作制限ステップでは、前記画像再生部に前記記録媒体が装着された際のユーザー認証で入力された認証情報とは異なる認証情報が入力された場合には、前記画像情報の再生を禁止することが望ましい。
【００２１】
この画像表示装置の制御方法によれば、画像再生部に記録媒体が装着された際のユーザー認証で入力された認証情報とは異なる認証情報が入力された場合に、画像情報の再生を禁止するため、画像再生部に記録媒体を装着したまま放置してしまっても、他のユーザーに画像情報を再生されて見られてしまうことを防止することができる。
【００２２】
［適用例１０］上記適用例に係る画像表示装置の制御方法において、前記画像再生部の動作制限として、前記画像再生部からの前記記録媒体のイジェクトを禁止する第１のモードと、前記画像再生部からの前記記録媒体のイジェクトを禁止するとともに、前記画像情報の再生を禁止する第２のモードとが選択可能であってもよい。
【００２３】
［適用例１１］上記適用例に係る画像表示装置の制御方法において、前記画像表示装置には、管理者を識別するための管理者用照合情報が記憶されており、前記動作制限ステップでは、前記画像再生部に前記記録媒体が装着された際のユーザー認証で入力された認証情報、及び前記管理者用照合情報のいずれとも異なる認証情報が入力された場合に、前記画像再生部の動作を制限するようにしてもよい。
【図面の簡単な説明】
【００２４】
【図１】プロジェクターの斜視図。
【図２】プロジェクターの回路構成を示すブロック図。
【図３】スタンバイ状態で電源キー又は再生キーが操作された場合のプロジェクターの動作を説明するフローチャート。
【図４】スタンバイ状態で電源キー又は再生キーが操作された場合のプロジェクターの動作を説明するフローチャート。
【図５】認証画像を示す説明図。
【図６】スタンバイ状態でイジェクトキーが操作された場合のプロジェクターの動作を説明するフローチャート。
【図７】スタンバイ状態でイジェクトキーが操作された場合のプロジェクターの動作を説明するフローチャート。
【図８】スタンバイ状態でＤＶＤメディアがディスクスロットに挿入された場合のプロジェクターの動作を説明するフローチャート。
【発明を実施するための形態】
【００２５】
以下、画像表示装置の一つであるプロジェクターについて、図面を参照して説明する。
本実施形態のプロジェクターは、ＤＶＤ（Digital Versatile Disc）を再生可能なＤＶＤ再生部を備えており、ＤＶＤメディアに記録されている画像情報に基づく画像を投写することができる。また、本実施形態のプロジェクターは、暗証番号を用いてユーザーの認証を行うユーザー認証機能を備えており、ユーザーにより入力される暗証番号に基づいて、プロジェクターの利用、即ちプロジェクターを用いた画像の投写を許可したり、禁止したりすることができる。なお、このユーザー認証機能は、有効と無効とを切り替え可能になっており、ユーザー認証機能が無効の場合には、暗証番号を入力することなくプロジェクターを利用することができる。
【００２６】
図１は、本実施形態のプロジェクターの斜視図である。
図１に示すように、プロジェクター１は、外装を構成する筐体２によって装置本体が覆われた構成を有している。筐体２の前面２ｆには、外部のスクリーン等に画像を投写する投写レンズ１３が露出しており、投写レンズ１３の下側には、記録媒体であるＤＶＤメディアを挿入するためのディスクスロット３が設けられている。また、筐体２の前面２ｆには、リモコン２３から送信される操作信号を受信するための操作信号受信部２４が配置されている。
【００２７】
筐体２には、複数の操作キー（操作ボタン）を備えて構成される本体操作部２２が設けられており、プロジェクター１に対して各種指示を行うことが可能になっている。本体操作部２２を構成する複数の操作キーのうち、ディスクスロット３からＤＶＤメディアをイジェクト（排出）するための操作キー（イジェクトキー）は、筐体２の前面２ｆ（ディスクスロット３の近傍）に配置されており、それ以外の操作キーは、筐体２の上面２ｔに配置されている。また、リモコン２３にも、本体操作部２２と同様、プロジェクター１に対して各種指示を行うための複数の操作キーが備えられており、プロジェクター１を遠隔操作することが可能になっている。
【００２８】
図２は、プロジェクターの回路構成を示すブロック図である。
図２に示すように、プロジェクター１は、画像投写部１０、制御部２０、記憶部２１、本体操作部２２、リモコン２３、操作信号受信部２４、ＤＶＤ再生部２５、画像情報入力部３１、画像処理部３２、ＯＳＤ処理部３３、電源回路３４、光源制御部３５等を備えている。
【００２９】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等で構成されている。画像投写部１０は、画像表示部に相当するものであり、光源１１から射出された光を、液晶ライトバルブ１２Ｒ，１２Ｇ，１２Ｂで画像（画像光）に変調し、この画像を投写レンズ１３から投写して外部のスクリーンＳＣ等に表示する。
【００３０】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３１】
液晶ライトバルブ１２Ｒ，１２Ｇ，１２Ｂは、一対の透明基板間に液晶が封入された透過型の液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することにより、画像情報に応じた画像光に変調される。そして、各色の画像光は、図示しない色合成光学系によって画素毎に合成されてカラーの画像光となった後、投写レンズ１３によって拡大されて投写される。
【００３２】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクター１の動作を統括制御する。つまり、制御部２０は、記憶部２１とともにコンピューターとして機能する。
【００３３】
記憶部２１は、フラッシュメモリーやＦｅＲＡＭ（Ferroelectric RAM：強誘電体メモリー）等、書き替え可能な不揮発性のメモリーにより構成されている。記憶部２１には、プロジェクター１の動作を制御するための制御プログラムや、プロジェクター１の動作条件等を規定する各種設定データ等が記憶されている。本実施形態では、設定データとして、ユーザー認証機能が有効か無効かを表すフラグ（認証フラグ）、ユーザー認証機能が有効の場合に参照される複数の暗証番号、セキュリティーの強度（セキュリティーレベル）を表すセキュリティーレベル情報（単に「レベル情報」とも呼ぶ。）等が記憶されている。なお、認証フラグ、暗証番号、セキュリティーレベル情報等の設定データは、ユーザーによって適宜設定（変更）することが可能になっている。
【００３４】
本体操作部２２及びリモコン２３は、上述したように複数の操作キーを備えており、ユーザーからの入力操作（操作キーの操作）を受け付ける入力操作部に相当するものである。複数の操作キーには、上述したイジェクトキーの他に、電源のオンとオフとを切り替えるための電源キーや、表示すべき入力ソース（画像情報）を選択するための入力切替キー、ＤＶＤメディアの再生を開始させるための再生キー、ＤＶＤメディアの再生を停止させるための停止キー等が含まれ、これらは、本体操作部２２及びリモコン２３の双方に備えられている。また、環境設定メニュー等を重畳表示させるためのメニューキー、環境設定メニュー等で項目の選択に用いられる方向キー（上下左右に対応する４つの操作キー）、選択された項目を確定させる決定キー、動作の取り消し等を行うための取消キー、暗証番号を入力するための数字キー（０〜９に対応する１０個の操作キー）等は、リモコン２３にのみ備えられている。ユーザーが本体操作部２２の各種操作キーを操作すると、本体操作部２２は、ユーザーの操作内容（操作された操作キー）に応じた操作信号を制御部２０に出力する。また、ユーザーがリモコン２３の各種操作キーを操作すると、リモコン２３は、ユーザーの操作内容に応じた赤外線の操作信号を発し、操作信号受信部２４がこれを受信して制御部２０に伝達する。
【００３５】
ＤＶＤ再生部２５は、記録媒体であるＤＶＤメディアＭに記録されている画像情報を再生する画像再生部に相当するものであり、挿入センサー２６、メディア搬送部２７、装着センサー２８、データ読取部２９及びデータ処理部３０等を含んで構成されている。
【００３６】
挿入センサー２６は、ディスクスロット３の近傍に配置され、ＤＶＤメディアＭの一部がディスクスロット３に挿入されたことを検出して制御部２０に通知する。
【００３７】
メディア搬送部２７は、ＤＶＤメディアＭを搬送するための搬送ローラー、及び搬送ローラーを回転駆動する駆動モーター（いずれも図示せず）等によって構成され、制御部２０の指示に基づいて、ＤＶＤ再生部２５内におけるＤＶＤメディアＭの搬送を行う。具体的には、ユーザーがＤＶＤメディアＭの一部を外部からディスクスロット３に挿入し、挿入センサー２６がこの挿入を検出すると、制御部２０は、メディア搬送部２７に指示をして、ＤＶＤメディアＭを内部にロードしてターンテーブル（図示せず）上に装着させる。また、ユーザーによりイジェクトキーが操作されると、制御部２０は、メディア搬送部２７に指示をして、ターンテーブルからＤＶＤメディアＭを離脱させ、ＤＶＤメディアＭをディスクスロット３から外部にイジェクトさせる。
【００３８】
装着センサー２８は、ターンテーブルの近傍に配置され、ターンテーブルにＤＶＤメディアＭが装着されていることを検出して制御部２０に通知する。
【００３９】
データ読取部２９は、制御部２０の指示に基づいて、ターンテーブル上に装着されたＤＶＤメディアＭをスピンドルモーター（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取部２９によって読み取られたデータストリームは、データ処理部３０に順次出力される。
【００４０】
データ処理部３０は、デマルチプレクサーやデコーダー等で構成され、制御部２０の指示に基づいて、データ読取部２９から入力されるデータストリームを画像情報と音声情報とに分離する処理や、分離した画像情報及び音声情報をデコード（復号化）する処理等を行う。データ処理部３０は、復号化された画像情報を画像処理部３２に出力し、復号化された音声情報を図示しない音声出力手段に出力する。なお、ＤＶＤ再生部２５が、ＤＶＤメディアＭからデータストリームを読み取って、このデータストリームに基づく画像情報を出力することを、本明細書では「画像情報を再生する」又は「ＤＶＤメディアＭを再生する」と表記する。
【００４１】
制御部２０は、本体操作部２２又はリモコン２３が再生キーの操作を受け付けると、ＤＶＤ再生部２５に指示をして、画像情報の再生を開始させ、本体操作部２２又はリモコン２３が停止キーの操作を受け付けると、ＤＶＤ再生部２５に指示をして、画像情報の再生を停止させる。
【００４２】
挿入センサー２６及び装着センサー２８は、例えば、メカニカルスイッチ、光センサー、磁気センサー等の各種検出手段を用いて構成することができる。また、装着センサー２８に関しては、上記光ピックアップが受光する反射光の信号レベルによってＤＶＤメディアＭの装着の有無を検出する態様とすることも可能である。
【００４３】
画像情報入力部３１には、コンピューターや各種映像再生装置等、外部の画像供給装置Ｃから画像情報が入力される。画像情報入力部３１は、入力された画像情報を画像処理部３２に出力する。
【００４４】
画像処理部３２は、制御部２０の指示に基づいて、ＤＶＤ再生部２５又は画像情報入力部３１から入力される画像情報に各種画像処理を施す。具体的には、画像処理部３２は、ＤＶＤ再生部２５から入力される画像情報、及び画像情報入力部３１から入力される画像情報のうち、本体操作部２２又はリモコン２３の入力切替キーによって選択された画像情報を処理対象とし、この画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部３２は、変換した画像情報に対して、明るさ、コントラスト、シャープネス、色合い等を調整するための画質調整処理等を行い、処理後の画像情報をＯＳＤ処理部３３に出力する。
【００４５】
ＯＳＤ処理部３３は、制御部２０の指示に基づいて、投写されている画像（投写画像）上に、メニュー画像やメッセージ画像等のＯＳＤ（オンスクリーンディスプレイ）画像を重畳して表示するための処理を行う。ＯＳＤ処理部３３は、図示しないＯＳＤメモリーを備えており、ＯＳＤ画像を形成するための図形やフォント等を表すＯＳＤ画像情報を記憶している。制御部２０が、ＯＳＤ画像の重畳表示を指示すると、ＯＳＤ処理部３３は、必要なＯＳＤ画像情報をＯＳＤメモリーから読み出し、投写画像上の所定の位置にＯＳＤ画像が重畳されるように、画像処理部３２から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部３３は、画像処理部３２から入力される画像情報を、そのままライトバルブ駆動部１４に出力する。
【００４６】
ライトバルブ駆動部１４が、入力される画像情報に従って液晶ライトバルブ１２Ｒ，１２Ｇ，１２Ｂを駆動すると、液晶ライトバルブ１２Ｒ，１２Ｇ，１２Ｂは、光源１１から射出した光を画像情報に応じた画像光に変調し、この画像光が投写レンズ１３からスクリーンＳＣに投写される。
【００４７】
電源回路３４には、ＡＣ１００Ｖ等の商用電源が外部から供給される。電源回路３４は、商用電源（交流電源）を所定の電圧の直流電源に変換して、プロジェクター１の各部に電力を供給する。また、電源回路３４は、制御部２０の指示に基づいて、画像の投写に必要な電力（動作電力）を各部に供給する状態（以降、「電源オン状態」と呼ぶ。）と、動作電力の供給を停止して、電源をオンにするための操作を待機する状態（以降、「スタンバイ状態」又は「電源オフ状態」と呼ぶ。）とを切り替えることができる。
【００４８】
光源制御部３５は、制御部２０の指示に基づいて、光源１１に対する電力の供給と停止とを制御し、光源１１の点灯及び消灯を切り替える。
【００４９】
本実施形態のプロジェクター１は、上記のように構成されており、電源回路３４に商用電源が供給されると、電源回路３４は、少なくとも制御部２０、記憶部２１、本体操作部２２、及び操作信号受信部２４に電力（スタンバイ電力）の供給を行い、制御部２０は、この電力供給を受けて、制御プログラムに従った動作を開始する。商用電源が供給された直後には、プロジェクター１は、スタンバイ状態（電源オフ状態）であり、光源１１を消灯させた状態で、電源をオンにするための操作を待機する。
【００５０】
スタンバイ状態では、ユーザーは、本体操作部２２及びリモコン２３に備わる電源キー、再生キー、或いはイジェクトキーを操作することによってプロジェクター１を電源オン状態に移行させることができる。また、上記の操作キーを操作すること以外に、ＤＶＤメディアＭをディスクスロット３に挿入することによってもスタンバイ状態から電源オン状態に移行させることができるようになっている。なお、プロジェクター１を電源オン状態にするための操作、即ち電源キーの操作、再生キーの操作、イジェクトキーの操作、及びＤＶＤメディアＭを挿入する操作のことを、本明細書では、「オン操作」とも呼ぶ。ユーザーによりオン操作がなされて、プロジェクター１が電源オン状態に移行すると、ユーザー認証機能が有効の場合には認証処理が行われ、その後、オン操作の種別に応じて異なる動作がなされる。
【００５１】
図３及び図４は、スタンバイ状態で電源キー又は再生キーが操作された場合のプロジェクター１の動作を説明するフローチャートである。スタンバイ状態においてユーザーにより電源キー又は再生キーが操作されると、制御部２０は、図３及び図４に示すフローに従って動作する。
【００５２】
図３に示すように、ステップＳ１０１では、制御部２０は、電源回路３４に指示をして、各部への動作電力の供給を開始させ、プロジェクター１を電源オン状態に移行させる。そして、ステップＳ１０２では、制御部２０は、光源制御部３５に指示をして光源１１を点灯させ、画像の投写が可能な状態とする。
【００５３】
ステップＳ１０３では、制御部２０は、記憶部２１に記憶されている認証フラグに基づいて、ユーザー認証機能が有効であるか否かを判断する。そして、ユーザー認証機能が無効である場合にはステップＳ１０４に移行し、ユーザー認証機能が有効である場合にはステップＳ１０７に移行する。
【００５４】
ユーザー認証機能が無効であってステップＳ１０４に移行すると、制御部２０は、装着センサー２８の検出結果に基づいて、ターンテーブルにＤＶＤメディアＭが装着されているか否か、即ちディスクスロット３にＤＶＤメディアＭが挿入されているか否かを判断する。そして、ＤＶＤメディアＭが挿入されている場合には、ステップＳ１０５に移行し、ＤＶＤメディアＭが挿入されていない場合には、ステップＳ１０６に移行する。
【００５５】
ディスクスロット３にＤＶＤメディアＭが挿入されていてステップＳ１０５に移行した場合には、制御部２０は、ＤＶＤ再生部２５に指示をして、ＤＶＤメディアＭの再生を開始させ、ステップＳ１０６に移行する。この結果、ＤＶＤ再生部２５によって再生された画像情報に基づく画像（ＤＶＤ画像）が画像投写部１０から投写される。
【００５６】
ステップＳ１０６では、制御部２０は、ＤＶＤ動作モードを無制限モードに設定してフローを終了する。ここで、ＤＶＤ動作モードとは、ＤＶＤ再生部２５の動作（ＤＶＤメディアＭの再生やイジェクト等）に関する制限事項を規定する情報であり、設定されたＤＶＤ動作モードは、制御部２０のＲＡＭに記憶される。そして、ステップＳ１０６のように、ＤＶＤ動作モードが無制限モードに設定された場合には、ユーザーは、ＤＶＤ再生部２５を制限なく利用することができる。また、ＤＶＤ動作モードには、上述の無制限モードの他に、ＤＶＤメディアＭのイジェクトを禁止するイジェクト禁止モードと、ＤＶＤメディアＭのイジェクト及び再生を禁止する操作禁止モードがある。
【００５７】
ステップＳ１０３においてユーザー認証機能が有効であってステップＳ１０７に移行した場合には、制御部２０は、ＯＳＤ処理部３３に指示をして、暗証番号の入力を促すためのメッセージ画像（認証画像Ｗ１）を投写画像上に重畳表示させる（図５参照）。そして、ステップＳ１０８では、制御部２０は、ユーザーによる暗証番号の入力、即ちリモコン２３に備わる数字キーの入力操作を受け付ける。
【００５８】
ステップＳ１０９では、制御部２０は、ユーザーによって入力される暗証番号に基づいて認証処理を行う。具体的には、制御部２０は、操作信号受信部２４から入力される操作信号に基づいて、操作された数字キー、即ち入力された数字を順次認識する。そして、４つの数字が入力されると、これを４桁の暗証番号とみなし、記憶部２１に記憶されている暗証番号（正規の暗証番号）と照合する。そして、入力された暗証番号が正規の暗証番号と合致した場合には、ユーザー認証が成立する。
【００５９】
上述したように、記憶部２１は、複数の暗証番号を記憶できるようになっており、ユーザー毎、或いは複数のユーザーからなるユーザーグループ毎に個別の暗証番号を設定可能になっている。つまり、制御部２０は、入力された暗証番号を、記憶部２１に記憶されている複数の暗証番号と照合を行い、この中のいずれか１つの暗証番号と合致した場合にユーザー認証を成立させる。また、記憶部２１に記憶されている暗証番号のそれぞれには、プロジェクター１の管理者を識別するための管理者用暗証番号であることを表す管理者フラグ（図示せず）を付加できるようになっている。そして、入力された暗証番号が、管理者フラグが付加された管理者用暗証番号と合致した場合には、制御部２０は、暗証番号を入力したユーザーを管理者として認識する。管理者は、プロジェクター１を常に制限なく利用できるユーザーであり、新規の暗証番号の登録（追加）や、認証フラグやセキュリティーレベルの設定変更等は、管理者のみに許可される。
【００６０】
また、入力された暗証番号が、記憶部２１に記憶されている暗証番号のいずれとも一致しない場合には、制御部２０は、ＯＳＤ処理部３３に所定のメッセージ画像（図示せず）を重畳表示させて暗証番号が合致しない旨を報知するとともに、ユーザーに暗証番号の入力を繰り返させる。そして、所定の回数（例えば、３回）続けて暗証番号が合致しない場合には、ユーザー認証は不成立となる。
【００６１】
ステップＳ１１０では、制御部２０は、ステップＳ１０９における認証処理の結果に基づいて、ユーザー認証が成立したか否かを判断する。そして、ユーザー認証が成立した場合、即ち暗証番号の不一致が所定の回数に達する前に正規の暗証番号のいずれかが入力された場合には、制御部２０は、ＯＳＤ処理部３３に認証画像Ｗ１の重畳を終了させた後にステップＳ１１３（図４参照）に移行する。一方、ユーザー認証が不成立の場合、即ち暗証番号の不一致が所定の回数続いた場合にはステップＳ１１１に移行する。
【００６２】
ユーザー認証が不成立となってステップＳ１１１に移行すると、制御部２０は、光源制御部３５に指示をして光源１１を消灯させる。そして、ステップＳ１１２では、制御部２０は、電源回路３４に指示をして、各部への動作電力の供給を停止させ、プロジェクター１をスタンバイ状態に移行させてフローを終了する。このように、ユーザー認証が成立しなかった場合には、プロジェクター１の電源オン状態が継続せず、ユーザーは、プロジェクター１を利用することができない。一方、ユーザー認証が成立した場合には、電源オン状態が継続し、ユーザーは、プロジェクター１を利用することができる。ただし、後述するように、ユーザー認証が成立した場合であっても、ＤＶＤ再生部２５の利用が制限される場合がある。
【００６３】
図４に示すように、ユーザー認証が成立してステップＳ１１３に移行した場合には、制御部２０は、装着センサー２８の検出結果に基づいて、ターンテーブルにＤＶＤメディアＭが装着されているか否か、即ちディスクスロット３にＤＶＤメディアＭが挿入されているか否かを判断する。そして、ＤＶＤメディアＭが挿入されている場合にはステップＳ１１６に移行し、ＤＶＤメディアＭが挿入されていない場合にはステップＳ１１４に移行する。
【００６４】
ＤＶＤメディアＭが挿入されておらずにステップＳ１１４に移行した場合には、制御部２０は、ステップＳ１０８で入力された暗証番号、即ちユーザー認証が成立した暗証番号を、特定暗証番号として記憶部２１に記憶する。特定暗証番号とは、ＤＶＤメディアＭが挿入されていない状態でユーザー認証が成立し、ユーザー認証の成立後にＤＶＤメディアＭを挿入した場合に、このＤＶＤメディアＭに記録されている画像情報を再生させたり、このＤＶＤメディアＭをイジェクトさせたりする権限を有するユーザーであることを示す暗証番号である。つまり、ユーザー認証時（オン操作時）にディスクスロット３にＤＶＤメディアＭが挿入されている場合には、前回、若しくはそれ以前の電源オン状態のうち、このＤＶＤメディアＭが挿入（装着）された際のユーザー認証時（オン操作時）に入力された暗証番号が特定暗証番号となる。
【００６５】
ステップＳ１１５では、制御部２０は、ＤＶＤ動作モードを無制限モードに設定してフローを終了する。これ以降、制御部２０は、ユーザーの操作に応じて、ＤＶＤ再生部２５を制限なく動作させる。つまり、オン操作時にディスクスロット３にＤＶＤメディアＭが挿入されていない場合には、ユーザーは、ＤＶＤ再生部２５に対して、ＤＶＤメディアＭのロード、再生、イジェクト等の様々な動作を自由に行わせることができる。
【００６６】
一方、ステップＳ１１３においてディスクスロット３にＤＶＤメディアＭが挿入されていてステップＳ１１６に移行した場合には、制御部２０は、ステップＳ１０８で入力された暗証番号が、記憶部２１に記憶されている特定暗証番号、或いは管理者フラグが付加された管理者用暗証番号であるか否かを判断する。そして、特定暗証番号又は管理者用暗証番号である場合にはステップＳ１１７に移行し、特定暗証番号及び管理者用暗証番号のいずれでもない場合にはステップＳ１１８に移行する。
【００６７】
入力された暗証番号が特定暗証番号又は管理者用暗証番号であってステップＳ１１７に移行した場合には、制御部２０は、ＤＶＤ再生部２５に指示をして、ディスクスロット３に挿入されているＤＶＤメディアＭの再生を開始させ、ステップＳ１１５に移行する。そして、ステップＳ１１５では、制御部２０は、ＤＶＤ動作モードを無制限モードに設定してフローを終了する。この結果、ＤＶＤ再生部２５によって再生された画像情報に基づく画像（ＤＶＤ画像）が画像投写部１０から投写される。そして、これ以降、ユーザーは、ＤＶＤ再生部２５に対して、このＤＶＤメディアＭのイジェクトや、新たなＤＶＤメディアＭのロード、再生等、様々な動作を自由に行わせることができる。
【００６８】
このように、ユーザー認証を受けたユーザーが管理者である場合には、オン操作時にディスクスロット３に挿入されていたＤＶＤメディアＭを再生させたり、イジェクトさせたりすることができる。また、ユーザー認証を受けたユーザーが管理者ではない場合であっても、入力した暗証番号が記憶部２１に記憶されている特定暗証番号と合致した場合には、このユーザーは、ディスクスロット３のＤＶＤメディアＭを挿入したユーザー（或いは、ＤＶＤメディアＭを挿入したユーザーと同じユーザーグループに属するユーザー）であると想定されるため、挿入されているＤＶＤメディアＭを再生させたり、イジェクトさせたりすることが許可される。
【００６９】
入力された暗証番号が特定暗証番号及び管理者用暗証番号のいずれとも異なっていてステップＳ１１８に移行した場合には、制御部２０は、記憶部２１に記憶されているセキュリティーレベル情報を読み出して、設定されているセキュリティーレベルが、オン操作時に挿入されていたＤＶＤメディアＭの再生を許可するセキュリティーレベルであるか否かを判断する。そして、ＤＶＤメディアＭの再生を許可するセキュリティーレベルである場合にはステップＳ１１９に移行し、ＤＶＤメディアＭの再生を許可しないセキュリティーレベルである場合にはステップＳ１２１に移行する。
【００７０】
設定されているセキュリティーレベルがＤＶＤメディアＭの再生を許可するセキュリティーレベルであってステップＳ１１９に移行した場合には、制御部２０は、ＤＶＤ再生部２５に指示をして、ディスクスロット３に挿入されているＤＶＤメディアＭの再生を開始させ、ステップＳ１２０に移行する。そして、ステップＳ１２０では、制御部２０は、ＤＶＤ動作モードをイジェクト禁止モードに設定してフローを終了する。このように、イジェクト禁止モードに設定されると、制御部２０は、ユーザーによって本体操作部２２又はリモコン２３のイジェクトキーが操作されても、この操作を無視し、ＤＶＤメディアＭをイジェクトさせない。つまり、これ以降、ユーザーは、ＤＶＤメディアＭを再生させて画像を鑑賞することはできるが、ＤＶＤメディアＭをイジェクトすることができなくなる。
【００７１】
一方、設定されているセキュリティーレベルがＤＶＤメディアＭの再生を許可しないセキュリティーレベルであってステップＳ１２１に移行した場合には、制御部２０は、ＤＶＤ動作モードを操作禁止モードに設定してフローを終了する。このように、操作禁止モードに設定されると、制御部２０は、ユーザーによって本体操作部２２又はリモコン２３の再生キーやイジェクトキーが操作されても、この操作を無視し、ＤＶＤメディアＭを再生させたり、イジェクトさせたりしない。つまり、これ以降、ユーザーは、挿入されているＤＶＤメディアＭの再生及びイジェクトを行うことができなくなる。
【００７２】
プロジェクター１は上記のように動作するため、ユーザーは、スタンバイ状態で電源キー又は再生キーを操作することによって、プロジェクター１を電源オン状態に移行させることができる。そして、ユーザー認証機能が無効の場合には、ディスクスロット３にＤＶＤメディアＭが挿入されていればその再生が自動的に開始され、それ以降のプロジェクター１の利用も可能となる。
【００７３】
一方、ユーザー認証機能が有効の場合には、暗証番号によるユーザー認証が行われ、ユーザー認証が成立した場合に、それ以降のプロジェクター１の利用が可能となる。ただし、オン操作時にディスクスロット３にＤＶＤメディアＭが挿入されている場合において、入力した暗証番号が、管理者用暗証番号、及びＤＶＤメディアＭを挿入した際の暗証番号（特定暗証番号）のいずれとも異なっている場合には、ＤＶＤ再生部２５の動作が制限される。そして、ＤＶＤ再生部２５の動作制限としては、ＤＶＤメディアＭのイジェクトを禁止するイジェクト禁止モードと、ＤＶＤメディアＭの再生及びイジェクトを禁止する操作禁止モードとがあり、ユーザーが設定したセキュリティーレベルに応じていずれかのモードが選択される。なお、ＤＶＤ再生部２５の動作が制限された状態であっても、画像供給装置Ｃから画像情報入力部３１に入力される画像情報に基づく画像を投写することは可能である。
【００７４】
図６及び図７は、スタンバイ状態でイジェクトキーが操作された場合のプロジェクター１の動作を説明するフローチャートである。スタンバイ状態においてユーザーによりイジェクトキーが操作されると、制御部２０は、図６及び図７に示すフローに従って動作する。なお、図３及び図４におけるステップＳ１０５，Ｓ１１７が、それぞれステップＳ２０５，Ｓ２１７に置き換えられ、ステップＳ１１９に対応するステップがなくなったこと以外については、図３及び図４のフローと図６及び図７のフローは同一である。
【００７５】
図６に示すように、ステップＳ２０１では、制御部２０は、電源回路３４に指示をして、各部への動作電力の供給を開始させ、プロジェクター１を電源オン状態に移行させる。そして、ステップＳ２０２では、制御部２０は、光源制御部３５に指示をして光源１１を点灯させ、画像の投写が可能な状態とする。
【００７６】
ステップＳ２０３では、制御部２０は、記憶部２１に記憶されている認証フラグに基づいて、ユーザー認証機能が有効であるか否かを判断する。そして、ユーザー認証機能が無効である場合にはステップＳ２０４に移行し、ユーザー認証機能が有効である場合にはステップＳ２０７に移行する。
【００７７】
ユーザー認証機能が無効であってステップＳ２０４に移行すると、制御部２０は、装着センサー２８の検出結果に基づいて、ターンテーブルにＤＶＤメディアＭが装着されているか否か、即ちディスクスロット３にＤＶＤメディアＭが挿入されているか否かを判断する。そして、ＤＶＤメディアＭが挿入されている場合には、ステップＳ２０５に移行し、ＤＶＤメディアＭが挿入されていない場合には、ステップＳ２０６に移行する。
【００７８】
ディスクスロット３にＤＶＤメディアＭが挿入されていてステップＳ２０５に移行した場合には、制御部２０は、ＤＶＤ再生部２５に指示をして、挿入されているＤＶＤメディアＭをメディア搬送部２７によってイジェクトさせる。そして、ステップＳ２０６では、制御部２０は、ＤＶＤ動作モードを無制限モードに設定してフローを終了する。これ以降、ユーザーは、ＤＶＤ再生部２５を制限なく利用することができる。
【００７９】
ステップＳ２０３においてユーザー認証機能が有効であってステップＳ２０７に移行した場合には、制御部２０は、ＯＳＤ処理部３３に指示をして、暗証番号の入力を促すための認証画像Ｗ１を投写画像上に重畳表示させる（図５参照）。そして、ステップＳ２０８では、制御部２０は、ユーザーによる暗証番号の入力を受け付ける。
【００８０】
ステップＳ２０９では、制御部２０は、ユーザーによって入力される暗証番号に基づいて認証処理を行う。そして、入力された暗証番号が正規の暗証番号と合致した場合には、ユーザー認証が成立する。
【００８１】
ステップＳ２１０では、制御部２０は、ステップＳ２０９における認証処理の結果に基づいて、ユーザー認証が成立したか否かを判断する。そして、ユーザー認証が成立した場合には、制御部２０は、ＯＳＤ処理部３３に認証画像Ｗ１の重畳を終了させた後にステップＳ２１３（図７参照）に移行する。一方、ユーザー認証が不成立の場合にはステップＳ２１１に移行する。
【００８２】
ユーザー認証が不成立となってステップＳ２１１に移行すると、制御部２０は、光源制御部３５に指示をして光源１１を消灯させる。そして、ステップＳ２１２では、制御部２０は、電源回路３４に指示をして、各部への動作電力の供給を停止させ、プロジェクター１をスタンバイ状態に移行させてフローを終了する。このように、ユーザー認証が成立しなかった場合には、プロジェクター１の電源オン状態が継続せず、ユーザーは、プロジェクター１を利用することができない。
【００８３】
一方、図７に示すように、ユーザー認証が成立してステップＳ２１３に移行した場合には、制御部２０は、装着センサー２８の検出結果に基づいて、ターンテーブルにＤＶＤメディアＭが装着されているか否か、即ちディスクスロット３にＤＶＤメディアＭが挿入されているか否かを判断する。そして、ＤＶＤメディアＭが挿入されている場合にはステップＳ２１６に移行し、ＤＶＤメディアＭが挿入されていない場合にはステップＳ２１４に移行する。
【００８４】
ＤＶＤメディアＭが挿入されておらずにステップＳ２１４に移行した場合には、制御部２０は、ステップＳ２０８で入力された暗証番号を、特定暗証番号として記憶部２１に記憶する。そして、ステップＳ２１５では、制御部２０は、ＤＶＤ動作モードを無制限モードに設定してフローを終了する。これ以降、制御部２０は、ユーザーの操作に応じて、ＤＶＤ再生部２５を制限なく動作させる。つまり、オン操作時にディスクスロット３にＤＶＤメディアＭが挿入されていない場合には、ユーザーは、ＤＶＤ再生部２５に対して、ＤＶＤメディアＭのロード、再生、イジェクト等の様々な動作を自由に行わせることができる。
【００８５】
一方、ステップＳ２１３においてディスクスロット３にＤＶＤメディアＭが挿入されていてステップＳ２１６に移行した場合には、制御部２０は、ステップＳ２０８で入力された暗証番号が、記憶部２１に記憶されている特定暗証番号、或いは管理者フラグが付加された管理者用暗証番号であるか否かを判断する。そして、特定暗証番号又は管理者用暗証番号である場合にはステップＳ２１７に移行し、特定暗証番号及び管理者用暗証番号のいずれでもない場合にはステップＳ２１８に移行する。
【００８６】
入力された暗証番号が特定暗証番号又は管理者用暗証番号であってステップＳ２１７に移行した場合には、制御部２０は、ＤＶＤ再生部２５に指示をして、ディスクスロット３に挿入されているＤＶＤメディアＭをイジェクトさせ、ステップＳ２１５に移行する。そして、ステップＳ２１５では、制御部２０は、ＤＶＤ動作モードを無制限モードに設定してフローを終了する。これ以降、このユーザーは、ＤＶＤ再生部２５に対して、新たなＤＶＤメディアＭのロード、再生、イジェクト等、様々な動作を自由に行わせることができる。
【００８７】
このように、ユーザー認証を受けたユーザーが管理者である場合には、オン操作時にディスクスロット３に挿入されていたＤＶＤメディアＭをイジェクトさせたり、新たなＤＶＤメディアＭを挿入して再生させたりすることができる。また、ユーザー認証を受けたユーザーが管理者ではない場合であっても、入力した暗証番号が記憶部２１に記憶されている特定暗証番号と合致した場合には、このユーザーは、ディスクスロット３のＤＶＤメディアＭを挿入したユーザー（或いは、このユーザーと同じユーザーグループに属するユーザー）であると想定されるため、挿入されているＤＶＤメディアＭをイジェクトさせたり、新たなＤＶＤメディアＭを挿入して再生させたりすることが許可される。
【００８８】
入力された暗証番号が特定暗証番号及び管理者用暗証番号のいずれとも異なっていてステップＳ２１８に移行した場合には、制御部２０は、記憶部２１に記憶されているセキュリティーレベル情報を読み出して、設定されているセキュリティーレベルが、オン操作時に挿入されていたＤＶＤメディアＭの再生を許可するセキュリティーレベルであるか否かを判断する。そして、ＤＶＤメディアＭの再生を許可するセキュリティーレベルである場合にはステップＳ２１９に移行し、ＤＶＤメディアＭの再生を許可しないセキュリティーレベルである場合にはステップＳ２２０に移行する。
【００８９】
ステップＳ２１９に移行した場合には、制御部２０は、ＤＶＤ動作モードをイジェクト禁止モードに設定してフローを終了する。このように、イジェクト禁止モードに設定されると、制御部２０は、ユーザーによって本体操作部２２又はリモコン２３のイジェクトキーが操作されても、この操作を無視し、ＤＶＤメディアＭをイジェクトさせない。つまり、これ以降、ユーザーは、ＤＶＤメディアＭを再生させて画像を鑑賞することはできるが、ＤＶＤメディアＭをイジェクトすることができなくなる。
【００９０】
一方、設定されているセキュリティーレベルがＤＶＤメディアＭの再生を許可しないセキュリティーレベルであってステップＳ２２０に移行した場合には、制御部２０は、ＤＶＤ動作モードを操作禁止モードに設定してフローを終了する。このように、操作禁止モードに設定されると、制御部２０は、ユーザーによって本体操作部２２又はリモコン２３の再生キーやイジェクトキーが操作されても、この操作を無視し、ＤＶＤメディアＭを再生させたり、イジェクトさせたりしない。つまり、これ以降、ユーザーは、挿入されているＤＶＤメディアＭの再生及びイジェクトを行うことができなくなる。
【００９１】
プロジェクター１は上記のように動作するため、ユーザーは、スタンバイ状態でイジェクトキーを操作することによって、プロジェクター１を電源オン状態に移行させることができる。そして、ユーザー認証機能が無効の場合には、ディスクスロット３にＤＶＤメディアＭが挿入されていればそれがイジェクトされ、それ以降のプロジェクター１の利用も可能となる。
【００９２】
一方、ユーザー認証機能が有効の場合には、暗証番号によるユーザー認証が行われ、ユーザー認証が成立した場合に、それ以降のプロジェクター１の利用が可能となる。ただし、オン操作時にディスクスロット３にＤＶＤメディアＭが挿入されている場合において、入力した暗証番号が、管理者用暗証番号、及びＤＶＤメディアＭを挿入した際の暗証番号（特定暗証番号）のいずれとも異なっている場合には、ＤＶＤ再生部２５の動作が制限される。そして、ＤＶＤ再生部２５の動作制限としては、ＤＶＤメディアＭのイジェクトを禁止するイジェクト禁止モードと、ＤＶＤメディアＭの再生及びイジェクトを禁止する操作禁止モードとがあり、ユーザーが設定したセキュリティーレベルに応じていずれかのモードが選択される。なお、ＤＶＤ再生部２５の動作が制限された状態であっても、画像供給装置Ｃから画像情報入力部３１に入力される画像情報に基づく画像を投写することは可能である。
【００９３】
図８は、スタンバイ状態でＤＶＤメディアＭがディスクスロット３に挿入された場合のプロジェクター１の動作を説明するフローチャートである。スタンバイ状態においてユーザーによりＤＶＤメディアＭが挿入され、挿入センサー２６がこれを検出すると、制御部２０は、図８に示すフローに従って動作する。
【００９４】
図８に示すように、ステップＳ３０１では、制御部２０は、装着センサー２８の検出結果に基づいて、ターンテーブルにＤＶＤメディアＭが装着されているか否か、即ちディスクスロット３に他のＤＶＤメディアＭが挿入されているか否かを判断する。そして、他のＤＶＤメディアＭが挿入されている場合には、スタンバイ状態のままフローを終了し、他のＤＶＤメディアＭが挿入されていない場合には、ステップＳ３０２に移行する。このように、他のＤＶＤメディアＭが既に挿入されている場合には、ＤＶＤメディアＭを挿入しようとしても電源オン状態にならない。このため、この場合には、ユーザーは、イジェクトキーを操作することによって電源オン状態に移行させるとともに、挿入されているＤＶＤメディアＭをイジェクトさせ、その後で新たなＤＶＤメディアＭを挿入するようにすればよい。
【００９５】
ディスクスロット３に他のＤＶＤメディアＭが挿入されておらずステップＳ３０２に移行した場合には、制御部２０は、電源回路３４に指示をして、各部への動作電力の供給を開始させ、プロジェクター１を電源オン状態に移行させる。そして、ステップＳ３０３では、制御部２０は、光源制御部３５に指示をして光源１１を点灯させ、画像の投写が可能な状態とする。
【００９６】
ステップＳ３０４では、制御部２０は、ＤＶＤ再生部２５に指示をして、挿入されたＤＶＤメディアＭをメディア搬送部２７によって搬送（ロード）させ、ターンテーブルに装着させる。
【００９７】
続くステップＳ３０５では、制御部２０は、記憶部２１に記憶されている認証フラグに基づいて、ユーザー認証機能が有効であるか否かを判断する。そして、ユーザー認証機能が無効である場合にはステップＳ３０６に移行し、ユーザー認証機能が有効である場合にはステップＳ３０８に移行する。
【００９８】
ユーザー認証機能が無効であってステップＳ３０６に移行した場合には、制御部２０は、ＤＶＤ再生部２５に指示をして、挿入されたＤＶＤメディアＭの再生を開始させる。この結果、画像投写部１０からＤＶＤ画像が投写される。そして、ステップＳ３０７では、制御部２０は、ＤＶＤ動作モードを無制限モードに設定してフローを終了する。これ以降、ユーザーは、ＤＶＤ再生部２５を制限なく利用することができる。
【００９９】
一方、ユーザー認証機能が有効であってステップＳ３０８に移行した場合には、制御部２０は、ＤＶＤ再生部２５に指示をして、挿入されたＤＶＤメディアＭをメディア搬送部２７によってイジェクトさせる。
【０１００】
ステップＳ３０９では、制御部２０は、ＯＳＤ処理部３３に指示をして認証画像Ｗ１（図５参照）を投写画像上に重畳表示させる。そして、ステップＳ３１０では、制御部２０は、ユーザーによる暗証番号の入力を受け付ける。
【０１０１】
ステップＳ３１１では、制御部２０は、ユーザーによって入力される暗証番号に基づいて認証処理を行い、ステップＳ３１２では、制御部２０は、ユーザー認証が成立したか否かを判断する。そして、ユーザー認証が成立した場合には、制御部２０は、ＯＳＤ処理部３３に認証画像Ｗ１の重畳を終了させた後で、ステップＳ３０７に移行し、ユーザー認証が不成立の場合にはステップＳ３１３に移行する。
【０１０２】
ユーザー認証が成立してステップＳ３０７に移行すると、制御部２０は、ＤＶＤ動作モードを無制限モードに設定してフローを終了する。そして、これ以降、制御部２０は、ユーザーの操作に応じて、ＤＶＤ再生部２５を制限なく動作させる。例えば、ステップＳ３０８でイジェクトされたＤＶＤメディアＭをユーザーが改めてディスクスロット３に挿入した場合には、制御部２０は、ＤＶＤ再生部２５に指示をして、新たに挿入されたＤＶＤメディアＭをメディア搬送部２７によってロードさせ、ターンテーブルに装着させる。そして、ＤＶＤ再生部２５に指示をして、挿入されたＤＶＤメディアＭの再生を開始させる。
【０１０３】
一方、ユーザー認証が不成立となってステップＳ３１３に移行すると、制御部２０は、光源制御部３５に指示をして光源１１を消灯させる。そして、ステップＳ３１４では、制御部２０は、電源回路３４に指示をして、各部への動作電力の供給を停止させ、プロジェクター１をスタンバイ状態に移行させてフローを終了する。
【０１０４】
プロジェクター１は上記のように動作するため、スタンバイ状態でターンテーブルにＤＶＤメディアＭが装着されていない場合には、ユーザーは、ＤＶＤメディアＭをディスクスロット３に挿入することによって、プロジェクター１を電源オン状態に移行させることができる。そして、ユーザー認証機能が無効の場合には、挿入したＤＶＤメディアＭの再生が自動的に開始されるとともに、それ以降のプロジェクター１の利用が可能となる。なお、本実施形態では、説明を簡単にするため、ステップＳ３０５においてユーザー認証機能が無効と判定された場合に、ＤＶＤメディアＭの再生を開始（ステップＳ３０６）してからＤＶＤ動作モードを無制限モードに設定（ステップＳ３０７）する例を示したが、ＤＶＤメディアＭの再生を開始する前にＤＶＤ動作モードを無制限モードに設定してもよい。
【０１０５】
一方、ユーザー認証機能が有効の場合には、ＤＶＤメディアＭの再生は開始されずにＤＶＤメディアＭがイジェクトされ、暗証番号によるユーザー認証処理が行われる。そして、このユーザー認証が成立した場合にのみ、それ以降のプロジェクター１の利用が可能となり、ユーザー認証が不成立の場合には、プロジェクター１はスタンバイ状態に移行するため、プロジェクター１を利用することはできない。
【０１０６】
なお、図示は省略するが、新規の暗証番号の登録（正規の暗証番号として記憶部２１に記憶させること）や、登録した暗証番号への管理者フラグの付加、認証フラグやセキュリティーレベルの設定等は、本体操作部２２又はリモコン２３のメニューキーを操作した際に表示される環境設定メニューから設定（変更）することが可能である。そして、上述したように、これらの設定作業は、管理者用暗証番号を入力することによってユーザー認証が成立したユーザー（管理者）のみに許可される。
【０１０７】
以上説明したように、本実施形態のプロジェクター１によれば、以下の効果を得ることができる。
【０１０８】
（１）本実施形態のプロジェクター１によれば、ユーザー認証時に、ＤＶＤ再生部２５にＤＶＤメディアＭが装着された際に入力された暗証番号（特定暗証番号）、及び管理者用暗証番号のいずれとも異なる暗証番号が入力された場合には、制御部２０は、ユーザー認証が成立してプロジェクター１の利用が許可された場合であっても、ＤＶＤ再生部２５の動作を制限している。このため、ＤＶＤ再生部２５にＤＶＤメディアＭを装着したまま放置してしまっても、このＤＶＤメディアＭが他のユーザーに取り扱われてしまうことを防止することが可能となる。
【０１０９】
（２）本実施形態のプロジェクター１によれば、ユーザー認証時に、特定暗証番号及び管理者用暗証番号のいずれとも異なる暗証番号が入力された場合に、制御部２０がＤＶＤメディアＭのイジェクトを禁止するため、ＤＶＤ再生部２５にＤＶＤメディアＭを装着したまま放置してしまっても、他のユーザーにＤＶＤメディアＭを取り出されてしまうことを防止することができる。
【０１１０】
（３）本実施形態のプロジェクター１によれば、ユーザー認証時に、特定暗証番号及び管理者用暗証番号のいずれとも異なる暗証番号が入力された場合に、設定されているセキュリティーレベルによっては制御部２０が画像情報の再生を禁止するため、ＤＶＤ再生部２５にＤＶＤメディアＭを装着したまま放置してしまっても、他のユーザーに画像情報を再生されて見られてしまうことを防止することができる。
【０１１１】
なお、本実施形態では、ステップＳ１０９（図３参照）、ステップＳ２０９（図６参照）、或いはステップＳ３１１（図８参照）にて認証処理を実行する際の制御部２０が認証部に相当する。また、ユーザーによって入力される暗証番号が認証情報に相当し、記憶部２１に記憶されている正規の暗証番号が照合情報に相当し、記憶部２１に記憶されている管理者用暗証番号（管理者フラグが付加された暗証番号）が管理者用照合情報に相当する。また、暗証番号の入力を受け付けるリモコン２３が入力部に相当する。
【０１１２】
（変形例）
また、上記実施形態は、以下のように変更してもよい。
【０１１３】
上記実施形態では、ＤＶＤメディアＭに記録されている情報の読み取りが可能なＤＶＤ再生部２５を備えた構成を示しているが、ＤＶＤ再生部２５の代わりに、ＤＶＤ以外の光ディスク（例えば、ブルーレイディスク）、各種半導体メモリー、磁気ディスク、磁気テープ等、他の記録媒体に記録されている情報の読み取りが可能な画像再生手段を備えた構成であってもよい。
【０１１４】
上記実施形態では、暗証番号によってユーザー認証を行う態様を示しているが、認証情報は暗証番号に限定されず、英字や記号等を含んだパスワードを認証情報として認証を行うようにしてもよい。或いは、本体操作部２２やリモコン２３に備わる各種機能キーを所定の順序（シーケンス）で操作することを認証の要件にしてもよい。また、指紋認証をはじめとする生体認証等、様々な認証方法を用いることも可能である。
【０１１５】
上記実施形態では、ＤＶＤメディアＭをディスクスロット３に挿入することによって電源オン状態に移行させる場合において、挿入されたＤＶＤメディアＭをユーザー認証前（ステップＳ３０８）にイジェクトするようにしているが、この態様に限定されない。例えば、挿入されたＤＶＤメディアＭをターンテーブルに装着したままにしておいて、ユーザー認証が不成立だった場合にイジェクトするようにしてもよい。また、ユーザー認証が成立するまでは、挿入されたＤＶＤメディアＭをターンテーブルに装着することなくイジェクトするようにしてもよい。
【０１１６】
上記実施形態では、ＤＶＤ再生部２５にＤＶＤメディアＭを装着する方式として、ディスクスロット３にＤＶＤメディアＭを直接挿入するスロットイン方式を採用しているが、ＤＶＤ再生部２５は、スロットイン方式に限定されず、例えば、ＤＶＤメディアＭをトレイに載置して搬送するトレイローディング方式を採用してもよい。また、ターンテーブルを覆う開閉蓋を開いてユーザーが直接ターンテーブルにＤＶＤメディアＭを装着するトップローディング方式を採用することも可能である。トップローディング方式の場合には、ＤＶＤメディアＭをイジェクト（排出）する際に開閉蓋を開放する必要があるため、ＤＶＤメディアＭのイジェクトを禁止するためには、開閉蓋の開放動作を禁止すればよい。
【０１１７】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【０１１８】
上記実施形態では、光源１１は、放電型の光源ランプ１１ａによって構成されているが、ＬＥＤ（Light Emitting Diode）光源等の固体光源や、その他の光源を用いることもできる。
【０１１９】
上記実施形態では、画像表示装置として、光源１１から射出された光を変調して投写するプロジェクター１を例にして説明しているが、透過型のスクリーンを一体的に備えたリアプロジェクター、或いは、液晶ディスプレイ、プラズマディスプレイ、ＳＥＤ（Surface-conduction Electron-emitter Display）、有機ＥＬ（Electro Luminescence）ディスプレイ等、他の画像表示装置に適用することも可能である。
【符号の説明】
【０１２０】
１…プロジェクター、２…筐体、２ｆ…前面、２ｔ…上面、３…ディスクスロット、１０…画像投写部、１１…光源、１１ａ…光源ランプ、１１ｂ…リフレクター、１２Ｒ，１２Ｇ，１２Ｂ…液晶ライトバルブ、１３…投写レンズ、１４…ライトバルブ駆動部、２０…制御部、２１…記憶部、２２…本体操作部、２３…リモコン、２４…操作信号受信部、２５…ＤＶＤ再生部、２６…挿入センサー、２７…メディア搬送部、２８…装着センサー、２９…データ読取部、３０…データ処理部、３１…画像情報入力部、３２…画像処理部、３３…ＯＳＤ処理部、３４…電源回路、３５…光源制御部、Ｃ…画像供給装置、Ｍ…ＤＶＤメディア、ＳＣ…スクリーン、Ｗ１…認証画像。
【図１】
2012078739.tif 000003
【図２】
2012078739.tif 000004
【図３】
2012078739.tif 000005
【図４】
2012078739.tif 000006
【図５】
2012078739.tif 000007
【図６】
2012078739.tif 000008
【図７】
2012078739.tif 000009
【図８】
2012078739.tif 000010